(57)【要約】【課題】スタンドの上部が挿入される挿入部を必要以上に大きくすることなく、挿入部へ挿入されるスタンドの上部を案内部に沿って被取付部へ案内することができる表示装置を提供する。【解決手段】前側に表示面を有し、下側に挿入部１ａ，１ａを有する表示装置本体１と、上部が挿入部１ａ，１ａへ挿入され、表示装置本体１を起立状態で支持するスタンド２とを備え、表示装置本体１の挿入部の上側に、スタンド２の上部が取付けられる被取付部を設け、該被取付部と挿入部１ａ，１ａとの間に、スタンド２の上部を被取付部へ案内する案内部を有する案内体を配置し、該案内体の案内部に沿ってスタンド２の上部を被取付部へ案内することができるようにした。【選択図】図１
2009075166.tif 000002
【特許請求の範囲】
【請求項１】
前側に表示面を有し、下側に挿入部を有する表示装置本体の前記挿入部の上側に、上部が前記挿入部へ挿入され、前記表示装置本体を起立状態で支持するスタンドの上部が取付けられる被取付部を設けてある表示装置において、前記スタンドの上部を前記被取付部へ案内する第１の案内部、及び第１の案内部の両側で側方へ窪む被係止凹部を有し、前記表示装置本体に取付られるベース体と、前記第１の案内部と離隔して対向する第２の案内部及び第２の案内部に対し側方へ延出され、前記被係止凹部に係止されている係止片を有するカバー体とを備えることを特徴とする表示装置。
【請求項２】
前記係止片夫々の端部に、該係止片夫々の延出方向と交差する方向へ延出され、前記被係止凹部から抜出るのを阻止する抜止凸部を設けてある請求項１記載の表示装置。
【請求項３】
前記カバー体は、離隔して対向する側壁及び該側壁夫々を連結する連結壁を有し、前記側壁夫々の縁部に前記係止片が突設されている請求項１又は２に記載の表示装置。
【請求項４】
前記ベース体及びカバー体の一方は、係止片の被係止凹部に対する上下位置を規定する第１規定部を有し、他方は第１規定部に係合する第２規定部を有する請求項１から３のいずれか一つに記載の表示装置。
【請求項５】
前記係止片及び被係止凹部は上下に離隔して複数配してある請求項１から４のいずれか一つに記載の表示装置。
【請求項６】
前記被取付部は、前記スタンドの上部をピン部材で固定する固定部及び該固定部の少なくとも一側に配されている嵌合凹部とを有し、前記ベース体は前記嵌合凹部に嵌合される嵌合凸部を有する請求項１から５のいずれか一つに記載の表示装置。
【発明の詳細な説明】
【技術分野】
【０００１】
本発明は液晶表示装置、プラズマ表示装置等の表示装置に関する。
【背景技術】
【０００２】
液晶テレビジョン等の薄型の表示装置は、前側に表示面を有するパネル、該パネルの後側に配される電気機器などを支持する支持体及びパネル、支持体の周縁部から後側を被覆するキャビネットを有する表示装置本体と、該表示装置本体を起立状態で支持するスタンドとを備える。前記支持体の後側及びキャビネットの下側には、下方へ開口する挿入孔が開設され、該挿入孔の上側に被取付部が設けられている。また、スタンドは、前記挿入孔へ挿入される支柱部及び該支柱部の下端に結合されているベース部を有し、支柱部が前記挿入部へ挿入された後、雄螺子により支柱部が前記被取付部に取付けられるように構成されている（例えば、特許文献１参照）。
【特許文献１】特開２００３−２９６４３号公報
【発明の開示】
【発明が解決しようとする課題】
【０００３】
ところが、特許文献１のように表示装置本体の下側にスタンド用の挿入孔が開設されている表示装置にあっては、前記挿入孔と被取付部とが上下に離隔、換言すると前記支柱部の挿入方向へ離隔しているため、キャビネットを有する表示装置本体をスタンドの支柱部よりも上方へ持上げて支柱部を挿入部へ挿入する際、支柱部を被取付部の適正位置へ配するのが難しく、改善策が要望されていた。また、前記挿入孔を前記支柱部の外形に対して比較的大きく形成し、支柱部を挿入孔へ容易に挿入することができるように構成された場合、挿入孔と支柱部との間に比較的大きな環状空間が生じ、該環状空間から塵埃が侵入し易くなる。
【０００４】
本発明は斯かる事情に鑑みてなされたものであり、主たる目的は、スタンドの上部を被取付部へ案内する第１の案内部、及び第１の案内部の両側で側方へ窪む被係止凹部を有するベース体と、第１の案内部と離隔して対向する第２の案内部及び第２の案内部に対し側方へ延出され、被係止凹部に係止されている係止片を有するカバー体とを設けることにより、スタンドの上部が挿入される挿入部を必要以上に大きくすることなく、挿入部へ挿入されるスタンドの上部を案内部に沿って被取付部へ案内することができ、また、螺子体を用いることなくカバー体をベース体に結合することができるとともに、スタンド挿入時にカバー体が外れるのを防ぐことができる表示装置を提供することにある。
【課題を解決するための手段】
【０００５】
本発明に係る表示装置は、前側に表示面を有し、下側に挿入部を有する表示装置本体の前記挿入部の上側に、上部が前記挿入部へ挿入され、前記表示装置本体を起立状態で支持するスタンドの上部が取付けられる被取付部を設けてある表示装置において、前記スタンドの上部を前記被取付部へ案内する第１の案内部、及び第１の案内部の両側で側方へ窪む被係止凹部を有し、前記表示装置本体に取付られるベース体と、前記第１の案内部と離隔して対向する第２の案内部及び第２の案内部に対し側方へ延出され、前記被係止凹部に係止されている係止片を有するカバー体とを備えることを特徴とする。
【０００６】
この発明にあっては、挿入部へ挿入されるスタンドの上部を第１及び第２の案内部に沿って被取付部へ案内することができるため、挿入部を必要以上に大きくすることなく、スタンドの上部を被取付部の適正位置へ迅速、容易に配することができ、スタンドの被取付部への取付作業性を向上することができる。
また、第１の案内部の両側で側方へ窪む被係止凹部をベース体に設け、第２の案内部に対し側方へ延出され、前記被係止凹部に係止されている係止片をカバー体に設けてあるため、螺子体を用いることなく、カバー体をベース体に簡易に結合することができ、しかも、スタンドの上部が挿入部へ挿入される際、スタンドの上部からカバー体の内側へ外向きの力が加わることがあっても、カバー体が後方へ外れるのを防ぐことができる。
【０００７】
また、本発明に係る表示装置は、前記係止片夫々の端部に、該係止片夫々の延出方向と交差する方向へ延出され、前記被係止凹部から抜出るのを阻止する抜止凸部を設けてある構成とするのが好ましい。
この発明にあっては、係止片が被係止凹部から抜出るのを阻止することができるため、スタンドの上部が挿入部へ挿入される際、スタンドの上部からカバー体の内側へ外向きの力が加わることがあっても、カバー体の側方への位置ずれを防ぐことができ、カバー体の係止状態を維持することができる。
【０００８】
また、本発明に係る表示装置は、前記カバー体は、離隔して対向する側壁及び該側壁夫々を連結する連結壁を有し、前記側壁夫々の縁部に前記係止片が突設されている構成とするのが好ましい。
この発明にあっては、カバー体の側壁夫々を握持し、係止片間の距離が短くなる方向へ側壁夫々を撓ませることが可能であるため、係止片の被係止部への係止を容易に行うことができる。
【０００９】
また、本発明に係る表示装置は、前記ベース体及びカバー体の一方は、係止片の被係止凹部に対する上下位置を規定する第１規定部を有し、他方は第１規定部に係合する第２規定部を有する構成とするのが好ましい。
この発明にあっては、第１規定部及び第２規定部の係合により係止片の被係止凹部に対する上下位置を規定することができるため、カバー体の係止を迅速、容易に行うことができる。
【００１０】
また、本発明に係る表示装置は、前記係止片及び被係止凹部は上下に離隔して複数配してある構成とするのが好ましい。
この発明にあっては、上下及び側方へ離隔した複数の係止片によりカバー体を係止することができるため、カバー体に加わる力を分散することができ、カバー体の係止強度を高めることができる。
【００１１】
また、本発明に係る表示装置は、前記被取付部は、前記スタンドの上部をピン部材で固定する固定部及び該固定部の少なくとも一側に配されている嵌合凹部とを有し、前記ベース体は前記嵌合凹部に嵌合される嵌合凸部を有する構成とするのが好ましい。
この発明にあっては、ベース体の嵌合凸部を嵌合凹部に嵌合させることにより、ベース体の被取付部に対する位置を決めることが可能であるため、ベース体の適正位置への固定を簡易にできる。
【発明の効果】
【００１２】
本発明によれば、表示装置本体の下側に開設されている挿入部を必要以上に大きくすることなく、案内部によりスタンドの上部を被取付部の適正位置へ迅速、容易に配することができ、スタンドの被取付部への取付作業性を向上することができる。
しかも、螺子体を用いることなく、カバー体をベース体に簡易に結合することができ、また、スタンドの上部が挿入部へ挿入される際、スタンドの上部からカバー体の内側へ外向きの力が加わることがあっても、カバー体が後方へ外れるのを防ぐことができる。
【発明を実施するための最良の形態】
【００１３】
以下本発明をその実施の形態を示す図面に基づいて詳述する。
図１は表示装置の構成を示すスタンドを取外した状態の背面図、図２は表示装置本体のキャビネットを取外した状態の背面図、図３はスタンド及びスタンド取付部の構成を示す分解斜視図、図４はスタンド及びスタンド取付部の構成を示す拡大斜視図、図５はスタンド及びスタンド取付部の構成を示す拡大背面図、図６はスタンド及びスタンド取付部の構成を示す拡大側面図、図７は案内体が取付けられている状態の拡大背面図、図８は案内体部分の分解斜視図である。
【００１４】
図示した表示装置は、テレビ画像を表示する表示面を前側に有し、略直方体をなす表示装置本体１と、該表示装置本体１の後側下部に取外し可能に取付けられ、表示装置本体１を起立状態で支持するスタンド２と、スタンド２が取付けられる際、該スタンド２の上部を上方の被取付部１２ａ，１２ａへ案内する案内体Ａ，Ａとを備え、表示装置本体１の両側にスピーカを配してある薄型の液晶テレビジョンである。
【００１５】
表示装置本体１は前側に表示面を有する液晶のパネルと、該パネルの後側に配された光学シートと、バックライト部と、これらパネル等の部品を支持する支持体１１と、その下部に被取付部１２ａを有し、支持体１１の後側の面に取付けられている支持体補強用の二つの取付部材１２，１２と、パネルの外周り及び支持体１１の後側を被覆するキャビネット１３とを備えており、取付部材１２，１２の被取付部１２ａ，１２ａにスタンド２の上部が取付けられている。
【００１６】
支持体１１は略直方体をなす横長の枠部材１１ａと、周縁部が枠部材１１ａに結合され該枠部材１１ａの後側端を閉鎖する蓋板１１ｂとを有する箱形をなし、内側に前記バックライト部が支持され、開放側に前記パネル及び光学シートが支持されており、また、蓋板１１ｂの後側で長手方向の２箇所に二つの取付部材１２，１２が取付けられ、補強されている。また、支持体１１の両側にスピーカが取付けられている。
【００１７】
取付部材１２，１２は、幅方向中央部が支持体１１の後面１１ｃに対して後方へ離隔する凸条をなし、幅方向両側が前記後面１１ｃに接触する凹状をなす帯状板からなり、該取付部材１２，１２の長手方向下部に、凸条から後方へ突出する被取付部１２ａ，１２ａと、スタンド２の後記する荷重受部２１ｄ，２１ｄに掛止される二つの掛止片１２ｂ，１２ｂと、スタンド２の後記する被係合部２１ｅ，２１ｅに係合する二つの傾倒規制部１２ｃ，１２ｃとが一体に設けられている。被取付部１２ａ，１２ａはその長手方向が上下となる後面視略長円形をなし、該被取付部１２ａ，１２ａに、上下に離隔して二つの螺子孔１２ｄ，１２ｄが開設されており、後記する挿入部１ａ，１ａの上側に配されている。尚、螺子孔１２ｄ，１２ｄが固定部を構成している。
【００１８】
掛止片１２ｂ，１２ｂは被取付部１２ａ，１２ａの両側（取付部材１２，１２の幅方向両側）で、螺子孔１２ｄ，１２ｄの間が後方へ切起しにより立上り、途中に下向きの鈎部を有する。この鈎部は被取付部１２ａ，１２ａより後側に配されている。
【００１９】
傾倒規制部１２ｃ，１２ｃは、下端末と二つの掛止片１２ｂ，１２ｂとの間で切起しにより後方へ立上がる基部と、該基部から幅方向中央側へ曲げられている先部とにより鈎形をなしている。
【００２０】
また、取付部材１２，１２の幅方向両側の凹条部は後記する嵌合凸部３３ａ，３３ａが嵌合される嵌合凹部１２ｅ，１２ｅになっており、嵌合凹部１２ｅ，１２ｅ夫々の下部に取付孔１２ｆ，１２ｆが開設されている。また、幅方向中央の凸条部には、後方へ突出し、壁掛具に取付けられる複数の棒状体１２ｇが取付けられている。この棒状体１２ｇは内側に螺子孔を有する。
【００２１】
キャビネット１３はパネルの外周り及びスピーカの前側を被覆するフロント用の枠体１３ａと、支持体１１の後側及びスピーカを被覆する筺体１３ｂとを有する。枠体１３ａの両側部はスピーカの前側を被覆するために横幅を広くしてある。
【００２２】
筺体１３ｂは深皿形をなし、下側にはスタンド２の上部が挿入される二つの挿入部１ａ，１ａが横方向へ離隔して開設され、後側の下部には二つの被取付部１２ａ，１２ａの螺子孔１２ｄ，１２ｄに対応する四つの挿通孔１３ｃ，１３ｃが開設され、挿通孔１３ｃ，１３ｃへ挿通される雄螺子５によりスタンド２の上部を被取付部１２ａ，１２ａに固定するように構成されている。また、筺体１３ｂの後側には棒状体１２ｇに対応する複数の取付孔１３ｄが開設され、取付孔１３ｄへ挿通される雄螺子により壁掛け金具をキャビネット１３の後面に取付けることができるように構成されている。
【００２３】
スタンド２は横方向へ離隔して並置され、挿入部１ａ，１ａへ挿入される二つの支柱部２１，２１及び該支柱部２１，２１の下端に取付けられ、支柱部２１，２１を連結してあるベース部材２２とを有する。
【００２４】
支柱部２１，２１は被取付部１２ａ，１２ａと対向する帯状の基板２１ａと、該基板２１ａの幅方向両側に連なる側板２１ｂ，２１ｂとにより長手方向が上下となる半角筒形をなし、上端部に、螺子孔１２ｄ，１２ｄに対応する二つの貫通孔２１ｃ，２１ｃと、側板２１ｂ，２１ｂより外方へ突出し、掛止片１２ｂ，１２ｂが掛止される荷重受部２１ｄ，２１ｄと、側板２１ｂ，２１ｂより外方へ突出し、傾倒規制部１２ｃ，１２ｃが係合する被係合部２１ｅ，２１ｅとが一体に設けられている。側板２１ｂ，２１ｂの外法寸法は掛止片１２ｂ，１２ｂ間及び傾倒規制部１２ｃ，１２ｃの先部間の距離より若干短く形成されている。貫通孔２１ｃ，２１ｃは上下に離隔して基板２１ａに開設されている。
【００２５】
荷重受部２１ｄ，２１ｄは貫通孔２１ｃ，２１ｃの間の側板２１ｂ，２１ｂを幅方向外方へ切起こすことにより基板２１ａと一体に形成されている。被係合部２１ｅ，２１ｅは下側の貫通孔２１ｃと下方へ離隔した位置の側板２１ｂ，２１ｂを幅方向外方へ切起こすことにより基板２１ａと一体に形成されている。
【００２６】
図９は案内体の構成を示す斜視図、図１０は案内体の構成を示す底面図、図１１は図９のXI−XI線の拡大断面図、図１２は図９のXII −XII の拡大断面図、図１３は案内体の構成を示す分解斜視図である。案内体Ａは、取付部材１２，１２の下部に取付けられ、支柱部２１，２１を被取付部１２ａ，１２ａへ案内する第１の案内部３１及び第１の案内部３１の両側で側方へ窪む被係止凹部３２，３２を有する合成樹脂製のベース体３と、第１の案内部３１と離隔して対向する第２の案内部４１及び第２の案内部４１に対し側方へ延出され、前記被係止凹部３２，３２に係止されている係止片４２，４２を有する合成樹脂製のカバー体４とを備える。
【００２７】
図１４はベース体３の構成を示す後面側斜視図、図１５はベース体３の構成を示す前面側斜視図である。ベース体３は、支柱部２１の基板２１ａ部が挿入される案内溝３１ａと、該案内溝３１ａの出側端から案内方向へ延出され、案内溝３１ａの両側で対向する二つの取付片３３，３３とを有する。案内溝３１ａの両側、及び取付片３３，３３の先端部には、側方（案内溝３１ａの底面に沿う方向）へ窪む被係止凹部３２，３２が設けられている。被係止凹部３２，３２の周りは案内溝３１ａの縁よりも突出し、突出部夫々の一側面が第１規定部３４，３４になっている。
【００２８】
第１の案内部３１としての案内溝３１ａの入側には、両側面が拡がる案内面３１ｂ，３１ｂ及び底面が窪む案内面３１ｃが設けられている。取付片３３，３３の先端部は取付部材１２，１２の嵌合凹部１２ｅ，１２ｅに嵌合される嵌合凸部３３ａ，３３ａを有し、該嵌合凸部３３ａ，３３ａに、取付孔１２ｆ，１２ｆに対応する挿通孔３５，３５が開設されている。
【００２９】
図１６はカバー体４の構成を示す底面側斜視図、図１７はカバー体４の構成を示す前面側斜視図、図１８はカバー体４の構成を示す背面図、図１９はカバー体４の構成を示す正面図である。カバー体４は、離隔して対向し、若干の撓みが可能な側壁４ａ，４ａと、該側壁４ａ，４ａを連結する連結壁４ｂ及び側壁４ａ，４ａの下部で、前側縁部から側方へ延出されている鍔部４ｃ，４ｃとを有し、内側が第２の案内部４１になっている。側壁４ａ，４ａの前側縁部で、鍔部４ｃ，４ｃと上端との間に、係止片４２，４２が側方へ延出されている。
【００３０】
係止片４２，４２の端部には、係止片４２，４２夫々の延出方向と交差する方向へ延出され、被係止凹部３２，３２の途中に係止されて被係止凹部３２，３２から抜出るのを阻止する抜止凸部４２ａ，４２ａが設けられている。下側の係止片４２，４２の抜止凸部４２ａ，４２ａは、図１１、図１２に示すように上側の係止片４２，４２の抜止凸部４２ａ，４２ａよりも低く形成されている。つまり、側壁４ａ，４ａの下部は鍔部４ｃ，４ｃにより補強され、撓み難くなっているのに対し、側壁４ａ，４ａの上部は鍔部４ｃ，４ｃがなく撓み易くなっているため、上側の係止片４２，４２の抜止凸部４２ａ，４２ａを高くし、下側の係止片４２，４２の抜止凸部４２ａ，４２ａを低くし、係止片４２，４２を被係止凹部３２，３２に係止させ易くしてある。
【００３１】
カバー体４の入側には、側壁４ａ，４ａの内面が拡がる案内面４１ａ，４１ａ及び連結壁４ｂの内面が窪む案内面４１ｂが設けられている。また、側壁４ａ，４ａの前側縁部で、係止片４２，４２間に、第２規定部４３を有する位置規定片４４，４４が突設されており、鍔部４ｃ，４ｃの上側面が第２規定部４５，４５になっている。また、カバー体４の連結壁４ｂには、被取付部１２ａの下側の螺子孔１２ｄ、貫通孔２１ｃ及び挿通孔１３ｃに対応する貫通孔４６が開設されている。
【００３２】
以上のように構成された表示装置の表示装置本体１は、表示面が下向きとなるように載置台上に転倒して組立てられ、支持体１１の蓋板１１ｂ及び取付部材１２，１２が上向になっており、この取付部材１２，１２の下部に案内体Ａ，Ａが取付けられる。
【００３３】
案内体Ａ，Ａは、一方の手でベース体３の両側部を把持し、他方の手でカバー体４の側壁４ａ，４ａを把持し、一方の側壁４ａに突設されている上下の係止片４２，４２が、ベース体３の案内溝３１ａに対し一側の上下の被係止凹部３２，３２へ挿入係止され、側壁４ａ，４ａ夫々を若干撓ませつつ他方の側壁４ａに突設されている上下の係止片４２，４２が、ベース体３の案内溝３１ａに対し他側の上下の被係止凹部３２，３２へ挿入係止され、カバー体４をベース体３に結合することができる。この際、カバー体４の第２規定部４３，４５がベース体３の第１規定部３４，３４に係合し、カバー体４のベース体３に対する上下位置を容易に決めることができる。
【００３４】
このように組立られた案内体Ａ，Ａは、ベース体３の嵌合凸部３３ａ，３３ａが取付部材１２，１２の下部の嵌合凹部１２ｅ，１２ｅに嵌合され、嵌合凸部３３ａ，３３ａの挿通孔３５，３５から取付孔１２ｆ，１２ｆへ雄螺子６，６を捩込むことにより、案内体Ａ，Ａを取付部材１２，１２に取付けることができ、二つの挿入部１ａ，１ａと二つの取付部材１２，１２の下部との間に案内体Ａ，Ａが配される。案内体Ａ，Ａは案内溝３１ａ，３１ａが被取付部１２ａ，１２ａ及び傾倒規制部１２ｃ，１２ｃと対応する位置に配され、案内溝３１ａ，３１ａの底面と被取付部１２ａ，１２ａとが上下方向で直線状になる。
【００３５】
案内体Ａ，Ａが取付部材１２，１２に取付けられた後、表示装置本体１は起立される。この場合、表示装置本体１の下側に挿入部１ａ，１ａが設けられており、挿入部１ａ，１ａの上側に被取付部１２ａ，１２ａが配され、挿入部１ａ，１ａ及び被取付部１２ａ，１２ａ間に案内部Ａ，Ａが配されている。起立された表示装置本体１を、二つの支柱部２１，２１を有するスタンド２の支柱部２１，２１よりも上方へ持ち上げ、挿入部１ａ，１ａが支柱部２１，２１と対応する位置で表示装置本体１を降しつつ二つの支柱部２１，２１を案内体Ａ，Ａ内の第１及び第２の案内部３１，４１へ挿入する。この場合、ベース体３，３には第１の案内部３１としての案内溝３１ａが設けられており、カバー体４，４の内面には第２の案内部４１，４１が設けられているため、支柱部２１，２１の被係合部２１ｅ，２１ｅは案内溝３１ａ，３１ａにより挿入方向へ案内することができ、支柱部２１，２１の上端はカバー体４，４の第２の案内部４１，４１により挿入方向へ案内することができる。因って、取付部材１２，１２の長手方向（上下方向）に対し支柱部２１，２１が傾斜している状態で挿入されることがあっても、支柱部２１，２１の上端を案内体Ａ，Ａ内へ挿入し、表示装置本体１を降すことにより支柱部２１，２１を、取付部材１２，１２の被取付部１２ａ，１２ａと対向する適正位置へ配することができ、取付部材１２，１２の掛止片１２ｂ，１２ｂが支柱部２１，２１の荷重受部２１ｄ，２１ｄに掛止され、傾倒規制部１２ｃ，１２ｃが被係合部２１ｅ，２１ｅに係合する。この状態でキャビネット１３の挿通孔１３ｃへ雄螺子５を挿通し、カバー体４の貫通孔４６及び支柱部２１，２１の貫通孔２１ｃ，２１ｃを経て取付部材１２，１２の螺子孔１２ｄ，１２ｄに捩込むことにより、支柱部２１，２１を取付部材１２，１２に固定することができ、支柱部２１，２１の取付作業性を高めることができる。
【００３６】
また、カバー体４，４の係止片４２，４２及び抜止凸部４２ａ，４２ａがベース体３，３の被係止凹部３２，３２に係止されているため、支柱部２１，２１が鉛直方向に対して傾斜している状態で挿入されることがあっても、また、スタンド２が取付けられている状態で搬送される際の振動などによりカバー体４，４に外力が加わることがあっても、カバー体４，４のベース体３，３に対する離隔方向（図１１、図１２の矢印Ｘ方向）、及び横ずれ方向（図１１、図１２の矢印Ｙ方向）への移動を防ぐことができ、カバー体４，４の結合状態を維持することができる。
【００３７】
尚、以上説明した実施の形態では二つの支柱部２１，２１を有するスタンド２を取付ける構成としたが、その他、一つの支柱部２１又は三つ以上の支柱部２１を有するスタンド２を取付ける構成としてもよい。この場合、支柱部２１の個数に対応して被取付部１２ａが設けられる。
【００３８】
また、以上説明した実施の形態では柱形をなす取付部材１２の下部に被取付部１２ａを有する構成としたが、その他、被取付部１２ａの構造は特に制限されない。
【００３９】
また、以上説明した実施の形態では、案内体Ａがベース体３及びカバー体４を有する構成としたが、その他、案内体Ａの構成は特に制限されず、角筒形、半角筒形をなす構成としてもよい。
【００４０】
また、以上説明した実施の形態では、案内体Ａを支持体１１に取付ける構成としたが、その他、案内体Ａはキャビネット１３の筺体１３ｂに取付ける構成としてもよい。この場合、案内体Ａが取付けられている筺体１３ｂが支持体１１に取付けられる。
【００４１】
また、以上説明した実施の形態では、キャビネット１３の挿通孔１３ｃに挿通され、被取付部１２ａの螺子孔１２ｄに捩込まれる雄螺子５が支柱部２１を支持体１１に固定するように構成したが、その他、雄螺子５に代えてピンを用い、該ピンを、被取付部１２ａに開設される嵌合孔に嵌入することにより支柱部２１を被取付部１２ａに固定するように構成してもよい。
【００４２】
また、本発明に係る表示装置は液晶テレビジョン等の液晶表示装置である他、プラズマ表示装置、ＥＬディスプレイ等の表示装置であってもよい。
【図面の簡単な説明】
【００４３】
【図１】本発明に係る表示装置の構成を示すスタンドを取外した状態の背面図である。
【図２】表示装置本体のキャビネットを取外した状態の背面図である。
【図３】本発明に係る表示装置のスタンド及びスタンド取付部の構成を示す分解斜視図である。
【図４】本発明に係る表示装置のスタンド及びスタンド取付部の構成を示す拡大斜視図である。
【図５】本発明に係る表示装置のスタンド及びスタンド取付部の構成を示す拡大背面図である。
【図６】本発明に係る表示装置のスタンド及びスタンド取付部の構成を示す拡大側面図である。
【図７】本発明に係る表示装置の案内体が取付けられている状態の拡大背面図である。
【図８】本発明に係る表示装置の案内体部分の分解斜視図である。
【図９】本発明に係る表示装置の案内体の構成を示す斜視図である。
【図１０】本発明に係る表示装置の案内体の構成を示す底面図である。
【図１１】図９のXI−XI線の拡大断面図である。
【図１２】図９のXII −XII の拡大断面図である。
【図１３】本発明に係る表示装置の案内体の構成を示す分解斜視図である。
【図１４】本発明に係る表示装置のベース体の構成を示す後面側斜視図である。
【図１５】本発明に係る表示装置のベース体の構成を示す前面側斜視図である。
【図１６】本発明に係る表示装置のカバー体の構成を示す底面側斜視図である。
【図１７】本発明に係る表示装置のカバー体の構成を示す前面側斜視図である。
【図１８】本発明に係る表示装置のカバー体の構成を示す背面図である。
【図１９】本発明に係る表示装置のカバー体の構成を示す正面図である。
【符号の説明】
【００４４】
１    表示装置本体
１ａ  挿入部
１２ａ  被取付部
１２ｄ  螺子孔（固定部）
１２ｅ  嵌合凹部
２    スタンド
２１  支柱部
Ａ    案内体
３    ベース体
３１  第１の案内部
３２  被係止凹部
３３ａ  嵌合凸部
３４  第１規定部
４    カバー体
４ａ  側壁
４ｂ  連結壁
４１  第２の案内部
４２  係止片
４２ａ  抜止凸部
４３，４５  第２規定部
５    雄螺子（ピン部材）
【図１】
2009075166.tif 000003
【図２】
2009075166.tif 000004
【図３】
2009075166.tif 000005
【図４】
2009075166.tif 000006
【図５】
2009075166.tif 000007
【図６】
2009075166.tif 000008
【図７】
2009075166.tif 000009
【図８】
2009075166.tif 000010
【図９】
2009075166.tif 000011
【図１０】
2009075166.tif 000012
【図１１】
2009075166.tif 000013
【図１２】
2009075166.tif 000014
【図１３】
2009075166.tif 000015
【図１４】
2009075166.tif 000016
【図１５】
2009075166.tif 000017
【図１６】
2009075166.tif 000018
【図１７】
2009075166.tif 000019
【図１８】
2009075166.tif 000020
【図１９】
2009075166.tif 000021